(57)【要約】【課題】電気を使用せずに、流量を調節することが可能である流量調節具を提供する。【解決手段】流量調節具１０は、チューブ付きハンドピース本体５３に装着するための装着部と、その装着部において、ハンドピース本体５３を収容するための装着収容面とは反対側の担持面に設けられた支持部と、前記支持部に対して移動可能に設けられるか、又は前記支持部において回転運動のみを行うように設けられた流量調節部とを含み、前記流量調節部を前記支持部に対して移動させることによって、又は前記流量調節部を前記支持部において回転運動のみを行うことによって、チューブの挟まれ具合が変化し、これによってチューブ内を流れる液体の量が調節されることを特徴とする。【選択図】図２
2020146093.tif 000002
【特許請求の範囲】
【請求項１】
チューブが外部に取り付けられたハンドピース本体に対して装着することが可能であり、かつそのチューブ内を流れる液体の量を調節することが可能である流量調節具であって、
その流量調節具が、
（１）ハンドピース本体に装着するための装着部と、
（２）その装着部においてハンドピース本体を収容するための装着収容面とは反対側の担持面に設けられた支持部と、
（３）前記支持部に対して移動可能に設けられるか、又は前記支持部において回転運動のみを行うように設けられた流量調節部と、
を含み、
前記ハンドピース本体に前記流量調節具を装着して、更に前記流量調節部と前記装着部との間に前記チューブを配置した場合において、前記流量調節部を前記支持部に対して移動させることによって、又は前記流量調節部を前記支持部において回転運動のみを行うことによって、チューブの挟まれ具合が変化し、これによってチューブ内を流れる液体の量が調節されることを特徴とする、前記流量調節具。
【請求項２】
チューブ挟み込み用開口部が前記装着部において更に設けられており、
そのチューブ挟み込み用開口部と前記流量調節部とは向かい合っており、
前記ハンドピース本体に前記調節具を装着して、更に、前記チューブ挟み込み用開口部を介して、前記流量調節部と前記ハンドピース本体との間に前記チューブを配置した場合において、前記流量調節部を前記支持部に対して移動させることによって、又は前記流量調節部を前記支持部において回転運動のみを行うことによって、チューブの挟まれ具合が変化し、これによってチューブ内を流れる液体の量が調節される、請求項１に記載の流量調節具。
【発明の詳細な説明】
【技術分野】
【０００１】
本発明は、チューブが外部に取り付けられたハンドピース本体に対して装着することが可能であり、かつそのチューブ内を流れる液体の量を調節することが可能である流量調節具に関する。
【背景技術】
【０００２】
従来から、図１１に示すような、生理食塩水用チューブ７２が外部に設けられた外科用ハンドピース７０が知られている（例えば、特許文献１の図２及び図７参照）。
この生理食塩水用チューブ７２は、口腔内のインプラント手術においてその口腔内に生理食塩水を供給するために使用され、このチューブの一方の端部は、外科用ハンドピースのネック部前方に設けられたノズル７４に接続されている。
【先行技術文献】
【特許文献】
【０００３】
【特許文献１】特開平０９−２０１３７２号公報
【発明の概要】
【発明が解決しようとする課題】
【０００４】
図１１に示す外科用ハンドピースの場合には、一般的に、生理食塩水用チューブの一方の端部（具体的には、外科用ハンドピースのノズル側の端部とは反対側の端部）は、チューブ内を流れる液体の量を調節するための調節機構ユニットに接続されている。
液体の流量を調節する方法としては、例えば、調節機構ユニットの表示画面において流量調節用の表示ボタンが設けられている場合には、この表示ボタンを押すことによってその流量が調節される方法が採用されている。また、（表示画面において流量調節用の表示ボタンを有しない）調節機構ユニットと（施術者（歯科医）の足元に配置される）足元ペダルとを連結させて、足元ペダルを踏込むことによって、調節機構ユニットにおいて予め設定されている流量で液体を流す方法も採用されている。
いずれの方法においても、電気によってポンプを動かして、流量が調節されている。
本発明者は、従来の生理食塩水用チューブ付きの外科用ハンドピースに関して、以下のような欠点を発見した。
生理食塩水用チューブ付きの従来の外科用ハンドピースの場合には、特に、電気によってポンプを動かしているので、電気が必須となる欠点がある。更に、表示画面を有する調節機構ユニットを使用したり、あるいは、（表示画面において流量調節用の表示ボタンを有しない）調節機構と足元ペダルとの組み合わせを使用したりしているので、装置が、高価になるか、複雑になるか、及び／又は大型になってしまう欠点がある。
【０００５】
本発明者は、電気を使用せずに、流量を調節することが可能である流量調節具を開発することに成功した。この流量調節具は、簡易な機構であり、生理食塩水用チューブを外周に設けた歯科用ハンドピースにおいて、従来の握り方を変更せずに、その生理食塩水用チューブ内を流れる液体の量を片手のみで調節することが可能である。
【課題を解決するための手段】
【０００６】
前記の課題は、本発明による、
チューブが外部に取り付けられたハンドピース本体に対して装着することが可能であり、かつそのチューブ内を流れる液体の量を調節することが可能である流量調節具であって、
その調節具が、
（１）ハンドピース本体に装着するための装着部と、
（２）その装着部においてハンドピース本体を収容するための装着収容面とは反対側の担持面に設けられた支持部と、
（３）前記支持部に対して移動可能に設けられるか、又は前記支持部において回転運動のみを行うように設けられた流量調節部と、
を含み、
前記ハンドピース本体に前記流量調節具を装着して、更に前記流量調節部と前記装着部との間に前記チューブを配置した場合において、前記流量調節部を前記支持部に対して移動させることによって、又は前記流量調節部を前記支持部において回転運動のみを行うことによって、チューブの挟まれ具合が変化し、これによってチューブ内を流れる液体の量が調節されることを特徴とする、前記流量調節具によって解決することができる。
【０００７】
本発明によるホルダーの好ましい態様によれば、
チューブ挟み込み用開口部が前記装着部において更に設けられており、
そのチューブ挟み込み用開口部と前記流量調節部とは向かい合っており、
前記ハンドピース本体に前記調節具を装着して、更に、前記チューブ挟み込み用開口部を介して、前記流量調節部と前記ハンドピース本体との間に前記チューブを配置した場合において、前記流量調節部を前記支持部に対して移動させることによって、又は前記流量調節部を前記支持部において回転運動のみを行うことによって、チューブの挟まれ具合が変化し、これによってチューブ内を流れる液体の量が調節される。
【発明の効果】
【０００８】
本発明による流量調節具は、電気を使用せずに、流量を調節することが可能である。更に、この流量調節具は、簡易な機構であり、生理食塩水用チューブを外周に設けた歯科用ハンドピースにおいて、従来の握り方を変更せずに、その生理食塩水用チューブ内を流れる液体の量を片手のみで調節することが可能である。
【図面の簡単な説明】
【０００９】
【図１】本発明による流量調節具を歯科用ハンドピースに装着する前の斜視図である。
【図２】本発明による流量調節具を歯科用ハンドピースに装着した後の斜視図である。
【図３】本発明による流量調節具の斜視図及び一部切欠き分解斜視図である。
【図４】流量調節部を移動させることによってチューブ内を流れる液体の量が調節されることを示す原理図である。
【図５】チューブ挟み込み用開口部を設けない場合の態様を示すための一部切欠き断面側面図である。
【図６】支持部の別態様を示す斜視図である。
【図７】装着部において、チューブ挟み込み用開口部を設ける場合と設けない場合とについての比較図である。
【図８】本発明による流量調節具を歯科用ハンドピースに装着した場合と装着しない場合との握り方の比較図である。
【図９】流量調節部の別の態様を示す図である。
【図１０】流量調節部の更に別の態様を示す図である。
【図１１】従来のチューブ付き外科用ハンドピースの側面図である。
【発明を実施するための形態】
【００１０】
以下、本発明による流量調節具を添付図面に沿って説明するが、本発明は、この添付図面に示す態様に限定されるものではない。
【００１１】
図１は、本発明による流量調節具１０を歯科用ハンドピース５０に装着する前の斜視図であり、図２は、本発明による流量調節具１０を歯科用ハンドピース５０に装着した後の斜視図である。
本明細書において、位置関係を示す用語（例えば、前方、後方及び下方）は、特に断らない限り、本発明による流量調節具を装着して歯科用ハンドピースを通常の方法で使用している状態での位置関係について用いるものとする。具体的には、歯科用ハンドピースに対して本発明による流量調節具を取り付けた状態において、歯科用ハンドピースのヘッド部が存在する方向が前方であり、歯科用ハンドピースの本体部が存在する方向が後方であり、そして、生理食塩水用チューブ内を流れる液体を外部に放出するためのノズルが存在する方向が下方である。
【００１２】
歯科用ハンドピース５０は、図１に示すように、ヘッド部５１とネック部５２と本体部５３とを含んでいる。このネック部５２には、その側方側において、チューブ５４が取り付けられている。このチューブ５４内において液体（例えば、生理食塩水）が流れている。
流量調節具１０は、施術者がハンドピース本体を握った場合における親指と人差し指との位置に配置される。具体的には、図２に示すように、歯科用ハンドピース５０の本体部５３の前方部において装着される（例えば、着脱可能に装着される）。
【００１３】
図３は、本発明による流量調節具１０の斜視図及び一部切欠き分解斜視図である。
流量調節具１０は、装着部１と支持部２と流量調節部３とを含んでいる。これらの部品は、公知の材料（例えば、金属又はプラスチック）及び公知の方法を使用して製造することができる。
装着部１は、外観視で略円筒状の形状とすることができる。装着部１には、歯科用ハンドピース５０の本体部５３に流量調節具１０を装着するための装着用開口部１２が、前方端部から後方端部にかけて設けられている。その装着用開口部１２は、装着収容面１３によって形成されている。この装着収容面１３の形状は、歯科用ハンドピース５０の本体部５３の装着すべき位置（具体的には、本体部５３の前方部）における外周形状と略同一である。
また、装着部１において、その装着収容面１３とは反対側に、支持部２を担持するための担持面１４が設けられている。
装着部１には、歯科用ハンドピース５０の本体部５３に突起部５５が設けられていた場合（図２参照）でも流量調節具１０の装着を容易にするために、装着補助用開口部１６を装着部１の側方（前方端部から後方端部にかけての側方）に設けることもできる。この装着補助用開口部によって、図２に示すように、本体部５３に突起部５５が設けられていても装着を行うことができる。
【００１４】
支持部２は、略四角柱状の第１支持部２０と略四角柱状の第２支持部２２とを含んでいる。
第１支持部２０には、第１支持面２０ａにおいて第１ガイド部２０ｂが設けられており、そして、第２支持部２２には、第２支持面２２ａにおいて第２ガイド部２２ｂが設けられている。第１支持部２０及び第２支持部２２は、それぞれ、装着部１の担持面１４に対して略垂直方向に配置されている。
装着部１の担持面１４から第１ガイド部２０ｂまでの高さは、前方の高さ（Ａ１）の方が後方の高さ（Ａ２）よりも高くなっている。これに伴って、第１支持部２０の前方の高さ（Ｂ１）、すなわち、装着部１の担持面１４から第１支持部２０の前方の上面２４までの高さは、後方の高さ（Ｂ２）、すなわち、装着部１の担持面１４から第１支持部２０の後方の上面２４までの高さよりも高くなっている。第１ガイド部２０ｂ、及び第１支持部２０の上面２４は、装着部１の担持面１４に対して、連続して傾斜している。
第１支持部２０の高さ（Ｂ１，Ｂ２）は、好ましくは４ｍｍ〜１２ｍｍである。
第２ガイド部２２ｂの高さ及び第２支持部２２の高さについても上記と同様である。
第１支持部２０の第１支持面２０ａと第２支持部２２の第２支持面２２ａとは、相互に平行となるように配置されている。
第１ガイド部２０ｂ及び第２ガイド部２２ｂは、それぞれ、図３に示すような貫通孔であっても、（支持面２０ａ，２２ａ側のみが開口した）非貫通孔であってもよい。
【００１５】
流量調節部３は、図３（ｂ）に示すように、全体としてローラー状の形状とすることができる。具体的には、流量調節部３は、主に、真円柱状の本体部３０と移動用第１突起部３２と移動用第２突起部３３とを含んでいる。
移動用第１突起部３２は、本体部３０の第１側面３０ａの中心部に設けられており、そして、移動用第２突起部３３は、本体部３０の第２側面３０ｂの中心部に設けられている。
【００１６】
流量調節部３は、支持部２によって支持されている。具体的には、流量調節部３の移動用第１突起部３２が第１支持部２０の第１ガイド部２０ｂに挿入され、そして、流量調節部３の移動用第２突起部３３が第２支持部２２の第２ガイド部２２ｂに挿入されている。
これによって、図３（ａ）に示す矢印Ｃの方向に流量調節部３が支持部２を移動することができる。この移動の際に、図３（ａ）に示す矢印Ｄの方向に流量調節部３を回転させながら移動することもできる。
こうした流量調節部３の移動を容易にするために、流量調節部３の中央面３０ｃに移動用突起部３５を更に設けることもできる。
【００１７】
装着部１において、チューブ挟み込み用開口部１７と流量調節部３の（下方側）中央面３０ｃとは向かい合っている。具体的には、流量調節部３を上側（具体的には、第１支持部２０の上面２４側）から観察した場合の移動軌跡（図３（ａ）に示す矢印Ｃの方向の路）と並行して、チューブ挟み込み用開口部１７が設けられている。
【００１８】
図４は、流量調節部３を移動させることによってチューブ５４内を流れる液体の量が調節されることを示す原理図である。
チューブ５４は、流量調節具１０に対して以下のように配置することができる。
まず、チューブ５４の一方の端部（具体的には、歯科用ハンドピース５０に取り付けられた端部とは反対側の端部）を、支持部２における第１支持面２０ａの前方端部と第２支持面２２ａの前方端部との隙間から挿入する。次に、そのチューブ５４の端部を、流量調節部３の（下方側）中央面３０ｃと歯科用ハンドピース５０の本体部５３の外周面との隙間を通過させる。最後に、そのチューブ５４の端部を、支持部２における第１支持面２０ａの後方端部と第２支持面２２ａの後方端部との隙間を通過させて、本発明による流量調節具１０から抜き出す。
すなわち、チューブ５４は、図４に示すように、チューブ挟み込み用開口部１７を介して、流量調節部３の（下方側）中央面３０ｃと歯科用ハンドピース５０の本体部５３の外周面との間に配置されている。
流量調節部３が最も高い位置に配置されている場合には、図４（ａ）に示すように、チューブ５４は、流量調節部３の（下方側）中央面３０ｃと歯科用ハンドピース５０の本体部５３の外周面とによって挟まれていない。すなわち、チューブ内を流れる液体の量は最大となる。
流量調節部３が最後方に配置されている場合には、図４（ｂ）に示すように、チューブ５４は、流量調節部３の（下方側）中央面３０ｃと本体部５３の外周面とによって、最大限に挟まれている。すなわち、チューブ５４内を流れる液体の量は最小となる（あるいは、液体が流れないようになる）。
流量調節部３を最も高い位置から最も低い位置に（又は、最も低い位置から最も高い位置に）移動させることによって、チューブ５４の挟まれ具合が変化し、これによってチューブ５４内を流れる液体の量が調節されることとなる。この挟まれ具合は、装着部１の担持面１４から第１ガイド部２０ｂまでの高さの変化に起因するものである。
チューブ５４の挟まれ具合は、装着部１の担持面１４から第１ガイド部２０ｂまでの高さを変更して、適宜変更することができる。
【００１９】
流量調節部３の本体部３０の直径（図４（ａ）に示す矢印Ｅの距離）は、チューブ５４の直径（図４（ａ）に示す矢印Ｆの距離）によって、適宜変更することができる。
チューブ挟み込み用開口部１７の短手方向の長さ（図３（ｂ）に示す矢印Ｇの距離）は、チューブ５４の直径（図４（ａ）に示す矢印Ｆの距離）と略同一であるか、又は大きくすることが好ましい。例えば、チューブ挟み込み用開口部１７の短手方向の長さが３ｍｍの場合において、チューブ５４の直径は２ｍｍ程度である。
チューブ挟み込み用開口部１７の高さ（図４（ａ）に示す矢印Ｈの距離）は、チューブ５４の直径と略同一であるか、大きくすることが好ましい。これによって、チューブ挟み込み用開口部１７においてチューブ５４が入り込むことが可能となる。
【００２０】
装着部１において、チューブ挟み込み用開口部１７を設けない態様とすることもできる。この場合、図５（ａ）及び（ｂ）に示すように、チューブ５４は、流量調節部３の本体部３０の（下方側）中央面３０ｃと装着部１の担持面１４とによって挟まれることとなる。
【００２１】
装着部１の担持面１４から第２ガイド部２２ｂまでの高さについては、図６に示すように、前方の高さ（Ａ１）の方が後方の高さ（Ａ２）よりも低くすることもできる。これに伴って、第２支持部２２の前方の高さ（Ｂ１）は、後方の高さ（Ｂ２）よりも低くなっている。
第２支持部２２の高さ（Ｂ１，Ｂ２）は、好ましくは４ｍｍ〜１２ｍｍである。
装着部１の担持面１４から第１ガイド部２０ｂ及び第１支持部２０までの高さも、上記と同様である。
【００２２】
図７（ａ−１）及び図７（ａ−２）は、装着部１において、チューブ挟み込み用開口部を設ける場合についての第１支持部２０の高さ及び第１ガイド部２０ｂの高さを説明する図である。
第１ガイド部２０ｂの長手方向の長さ（図７（ａ−１）に示す矢印Ｉ１の距離）は、チューブ挟み込み用開口部１７の長手方向の長さ（図７（ａ−１）に示す矢印Ｉ２の距離）と略同一であるか、又は短くすることもできる。
装着部１の担持面１４から第１ガイド部２０ｂまでの高さ（Ａ１，Ａ２）は、チューブ挟み込み用開口部１７にチューブ５４が入り込むので、その入り込んだ分を考慮して低くすることができる。ガイド部の高さが低いので、第１支持部２０の高さ（Ｂ１，Ｂ２）を低くすることができる。
第２支持部２２についても、上記と同様である。
【００２３】
第１支持部２０の高さ（Ｂ１，Ｂ２）が低いので、図７（ａ−２）に示すように、第１関節の外側方向（図７（ａ−２）に示す矢印Ｊ）への可動領域が狭い親指によっても、流量調節部３を容易に移動させることができる。
第１支持部２０及び第２支持部２２のそれぞれの長手方向の長さ（図７（ａ−２）に示す矢印Ｋの距離）は、親指の第一関節の前後の可動領域（図７（ａ−２）に示す矢印Ｌの距離）を考慮して、適宜調節することができる。
【００２４】
図７（ｂ）は、装着部１において、チューブ挟み込み用開口部を設けない場合についての第１支持部２０の高さ及び第１ガイド部２０ｂの高さを説明する図である。
第１支持部２０の高さ（Ｍ１，Ｍ２）及び第１ガイド部２０ｂの高さ（Ｎ１，Ｎ２）は、図７（ｂ−１）に示すように、チューブ挟み込み用開口部１７を設けた場合の高さと比較して、図７（ａ−１）に示す態様におけるチューブ挟み込み用開口部１７の分だけ高くなっている。
この高さによって親指で流量調節部３を容易に移動させることできない場合には、図７（ｂ−２）に示すように、外側方向への可動領域が大きい人差し指を使用することによって、流量調節部３を容易に移動させることができる。
【００２５】
図８は、流量調節具１０を装着しない場合と、チューブ挟み込み用開口部１７を設けた流量調節具１０を歯科用ハンドピース５０に装着した場合との握り方の比較図である。
特に、チューブ挟み込み用開口部１７を設けた流量調節具１０の場合には、歯科用ハンドピース５０の握り方と変わらない握り方によって、流量調節具１０を備えた歯科用ハンドピース５０を握ることができる。これは、流量調節具１０を備えた歯科用ハンドピース５０の短手方向の長さ（図８（ｂ）に示す矢印Ｑの距離）が、歯科用ハンドピース５０の短手方向の長さ（図８（ａ）に示す矢印Ｐの距離）に近づいているためである。
【００２６】
図９は、流量調節部の別の態様を示す図である。
流量調節部３の本体部３０の形状は、図３に示すような断面が真円である柱形状（新円柱）の代わりに、断面が非真円である柱形状（非真円柱）、例えば、図９に示すような断面が卵型の柱形状、多角型の柱形状、又は楕円型の柱形状とすることもできる。
【００２７】
図１０は、流量調節部の更に別の態様を示す図である。
流量調節部３は、図１０に示すように、支持部２において回転運動（図１０（ｃ）及び図１０（ｄ）に示す矢印Ｕの方向の回転運動）のみを行うように配置することもできる。
流量調節部３は、断面が真円である柱形状の本体部３０における真円の外周において、その外周の任意の位置（例えば、図１０（ｃ）における点Ｒ）から出発して、半径（図１０（ｃ）に示す矢印Ｓの距離）が連続して短くなる部分を有する形状である。こうした形状にすることによっても、チューブ内を流れる液体の量を調節することができる。
流量調節部３の移動を容易にするために、流量調節部３の中央面３０ｃに移動用突起部３５を更に設けることもできる。
【符号の説明】
【００２８】
１・・・装着部；２・・・支持部；３・・・流量調節部；１０・・・流量調節具；
１２・・・装着開口部；１３・・・装着収容面；１４・・・担持面；
１７・・・チューブ挟み込み用開口部；２０・・・第１支持部；
２０ａ・・・第１支持面；２０ｂ・・・第１ガイド部；２２・・・第２支持部；
２２ａ・・・第２支持面；２２ｂ・・・第２ガイド部；２４・・・上面；
３０・・・本体部；３０ａ・・・第１側面；３０ｂ・・・第２側面；
３０ｃ・・・中央面；３２・・・移動用第１突起部；３３・・・移動用第２突起部；
３５・・・移動用突起部；５０・・・歯科用ハンドピース；５１・・・ヘッド部；
５２・・・ネック部；５３・・・本体部；５４・・・チューブ；５５・・・突起部；
７０・・・外科用ハンドピース；７２・・・生理食塩水用チューブ；７４・・・ノズル；
【図１】
2020146093.tif 000003
【図２】
2020146093.tif 000004
【図３】
2020146093.tif 000005
【図４】
2020146093.tif 000006
【図５】
2020146093.tif 000007
【図６】
2020146093.tif 000008
【図７】
2020146093.tif 000009
【図８】
2020146093.tif 000010
【図９】
2020146093.tif 000011
【図１０】
2020146093.tif 000012
【図１１】
2020146093.tif 000013